(57)【要約】      （修正有）【課題】並目ねじボルトにナットを強く締め込んだ後、確実な緩み止めが可能。【解決手段】締付ナット３の上面の２箇所より、ボルトのねじ山２に向う下勾配の傾斜溝４を設け、一方締付ナットに載せる環状円板５には、その底面の２箇所に楔形突出部７を設け、そしてその外周及び内周より数ヶ所の切込及びを設けて、この環状円板に柔軟性を与えうるようにしておき、締付ナットをボルト１に締め込んだ後、環状円板をその楔形突出部が締付ナットの傾斜溝４に嵌合するように、締付ナットの上面に載せ、その上より緩み止めナット１２を強く締め込むことにより、環状円板の楔形突出部は締付ナットの傾斜溝に沿うて押下げられ、同時に環状円板本体はボルトの中心に向って少し撓むことにより、ボルトのねじ山２に向って押出されて、その楔形突出部側面の数本の縦筋刃８はボルトのねじ山２にほぼ直交して食い込まされる。【選択図】図１
2018048729.tif 000002
【特許請求の範囲】
【請求項１】
ボルトに締め込むナットの緩み止めの構造において、締付ナット（３）の上面の相対する２箇所より、ボルトのねじ山（２）に向う下勾配の傾斜溝（４）を設け、一方締付ナットに載せる環状円板（５）には、その底面の相対する２箇所に楔形突出部（７）を設け、そしてその外周には多数の菊形の外歯（９）を設けた後、その外周及び内周より数ヶ所の切込（１０）及び（１１）を設けて、この環状円板に柔軟性を与えて、その底面の楔形突出部が外力によりボルトの中心部に向い僅かに移動しうるようにしておき、締付ナットを上部材（１５）の上より強くボルト（１）に締め込んだ後、環状円板（５）をその楔形突出部が締付ナット（３）の傾斜溝（４）に嵌合するように、締付ナットの上面に載せ、その上より緩み止めナット（１２）を強く締め込むことにより、環状円板の楔形突出部は締付ナットの傾斜溝に沿うて押下げられ、同時に環状円板本体はボルトの中心に向って少し撓むことにより、ボルトのねじ山（２）に向って押出されて、その楔形突出部側面の数本の縦筋刃（８）はボルトのねじ山にほぼ直交して食い込まされることにより締付ナットの戻り回転は確実に阻止される、このとき環状円板の楔形突出部が締付ナットの傾斜溝に嵌合されているため、その菊形の外歯（９）を緩み止めナットの鍔部（１３）の外周の切溝（１４）に折り曲げて噛合せることにより、緩み止めナットはこの環状円板を介して締付ナットに固定され、振動等の外力により緩むことは阻止される、これにより締付ナットの締め力を確実に保持しうるようにした、ナットの緩み止めの構造。
【発明の詳細な説明】
【技術分野】
【０００１】  本発明は強い締付け力を必要とする並目ねじボルトに締め込んだナットの緩み止めを行う方法である。
【背景技術】
【０００２】  緩み止めのためボルトにナットを固定する方法としては、ナットとボルトを貫通する共孔を開けここに割ピンを押込んで固定する方法があるが、この穿孔は現地で行うこともあり面倒であり、又一度ねじ戻しの後、再びナットを締めこむときは合致しない欠点があり、又ころがり軸受を押え込む時に使用するナットは細目ねじであり、大きな荷重には耐えきれず、しかも軸には溝加工を必要とするため広範囲に使用する並目ねじボルトに用いることは不適である、又ねじ面の摩擦力を高めるためのダブルナット式の緩み止めナットもあるが、この効果は不明である。
【発明の開示】
【発明が解決しようとする課題】
【０００３】  本発明は強力な締付け力を必要とする並目ねじのボルトに予め溝加工又は穿孔を施すことなく、緩み止めナットを締め込むことにより、締付ナットの傾斜溝に環状円板の楔形突出部を降下させ、その縦筋刃をボルトのねじ山に食い込ませると共に環状円板により緩み止めナットのゆるみを確実に阻止するようにする。
【課題を解決するための手段】
【０００４】  締付ナット３の上面の２箇所よりボルトのねじ山２に向う下勾配の傾斜溝４を設け、一方締付ナットに載せる環状円板５には、その底面の２箇所に楔形突出部７を設け、そしてその外周及び内周より数ヶ所の切込１０及び１１を設けて、この環状円板に柔軟性を与えうるようにしておき、締付ナットをボルト１に締め込んだ後、環状円板をその楔形突出部が締付ナットの傾斜溝４に嵌合するように、締付ナットの上面に載せ、その上より緩み止めナット１２を強く締め込むことにより、環状円板の楔形突出部は締付ナットの傾斜溝に沿うて押下げられ、同時に環状円板本体はボルトの中心に向って少し撓むことにより、ボルトのねじ山２に向って押出されて、その楔形突出部側面の数本の縦筋刃８はボルトのねじ山２にほぼ直交して食い込まされることにより締付ナットの戻り回転は確実に阻止される【０００５】  そして環状円板の楔形突出部は締付ナットの傾斜溝に嵌合されているため、その菊形の外歯９を緩み止めナットの鍔部１３の外周の切溝１４に噛合せることにより、緩み止めナットはこの環状円板を介して締付ナットに固定され、振動等の外力により緩むことを阻止することができる。
【発明の効果】
【０００６】  本発明の実施により並目ねじボルトにナットを強く締め込んだ後、確実な緩み止めが可能になり、鉄道車両等振動の激しいナットの脱落を防止しうるようになる。
【図面の簡単な説明】
【０００７】
【図１】本発明の実施形態の一例として、ボルトに締付用ナットを締め込み、緩み止を行った状態の縦断面図
【図２】図１の平面図
【図３】図１の側面図
【図４】図１、図２及び図３に組込まれている環状円板の縦断面図
【図５】図４の平面図
【図６】図４の側面図
【発明を実施するための形態】
【０００８】  ボルトに締め込むナットの緩み止めの構造において、締付ナット３の上面の相対する２箇所より、ボルトのねじ山２に向う下勾配の傾斜溝４を設け、一方締付ナットに載せる環状円板５には、その底面の相対する２箇所に楔形突出部７を設け、そしてその外周には多数の菊形の外歯９を設けた後、その外周及び内周より数ヶ所の切込１０及び１１を設けて、この環状円板に柔軟性を与えて、その底面の楔形突出部が外力によりボルトの中心部に向い僅かに移動しうるようにしておき、締付ナットを上部材１５の上より強くボルト１に締め込んだ後、環状円板５をその楔形突出部が締付ナット３の傾斜溝４に嵌合するように、締付ナットの上面に載せ、その上より緩み止めナット１２を強く締め込むことにより、環状円板の楔形突出部は締付ナットの傾斜溝に沿うて押下げられ、同時に環状円板本体はボルトの中心に向って少し撓むことにより、ボルトのねじ山２に向って押出されて、その楔形突出部側面の数本の縦筋刃８はボルトのねじ山にほぼ直交して食い込まされることにより、ボルトのねじ山が破損するか、又は環状円板の楔形突出部の焼入れされた縦筋刃が破損しない限り締付ナットの戻り回転は確実に阻止される。
【０００９】  このとき環状円板の楔形突出部が締付ナットの傾斜溝に嵌合されているため、その菊形の外歯９を緩み止めナットの鍔部１３の外周の切溝１４に折り曲げて噛合せることにより、緩み止めナットはこの環状円板を介して締付ナットに固定され、締付ナットは環状円板の楔形突出部の縦筋刃によりボルトのねじ山に固定されているため、振動等の外力により緩むことは阻止されている。このようにして締付ナットの締め力を確実に保持しうるようにする。
【符号の説明】
【００１０】  １・・・ボルト                        ２・・・ボルトのねじ山
３・・・締付ナット                    ４・・・締付ナットの傾斜溝
５・・・環状円板                      ６・・・環状円板のボルト用孔
７・・・環状円板の楔形突出部          ８・・・楔形突出部側面の縦筋刃
９・・・環状円板の菊形の外歯        １０・・・環状円板外周の切込
１１・・・環状円板内周の切込          １２・・・緩み止めナット
１３・・・緩み止めナットの鍔部        １４・・・鍔部外周の切溝
１５・・・上部材                      １６・・・上部材のボルト孔
１７・・・下部材
【図１】
2018048729.tif 000003
【図２】
2018048729.tif 000004
【図３】
2018048729.tif 000005
【図４】
2018048729.tif 000006
【図５】
2018048729.tif 000007
【図６】
2018048729.tif 000008